【手続補正書】
【提出日】平成18年5月17日(2006.5.17)
【手続補正１】
【補正対象書類名】明細書
【補正対象項目名】発明の名称
【補正方法】変更
【補正の内容】
【発明の名称】データ送信装置、データ送信方法、及び、データ送信処理プログラム
【手続補正２】
【補正対象書類名】明細書
【補正対象項目名】特許請求の範囲
【補正方法】変更
【補正の内容】
【特許請求の範囲】
【請求項１】
文書を作成する作成手段と、
データを記憶するデータ記憶手段と、
この作成手段による文書の作成中に、この作成中の文書に挿入すべきデータの種類に対応する指標を入力する入力手段と、
この入力手段により指標が入力されると、この指標に対応する種類のデータを前記データ記憶手段より読み出して表示する表示手段と、
この表示手段に表示されたデータを前記文書に挿入して表示すべきデータとして設定する設定手段と、
この設定手段によって設定されたデータを、前記文書とともに送信する出力データとして記憶する出力データ記憶手段と、
前記作成手段により作成された文書と、前記出力データ記憶手段に記憶された出力データとをデータ送信する送信手段と
を備えることを特徴とするデータ送信装置。
【請求項２】
前記指標は、前記作成手段によって作成される文書を構成する各文字と同じ表示範囲内に表示されることを特徴とする請求項１に記載のデータ送信装置。
【請求項３】
撮像手段を更に備え、
前記出力データとは、この撮像手段によって撮像された画像であることを特徴とする請求項１または２に記載のデータ送信装置。
【請求項４】
文書を作成する作成ステップと、
この作成ステップによる文書の作成中に、この作成中の文書に挿入すべきデータの種類に対応する指標を入力する入力ステップと、
この入力ステップにより指標が入力されると、この指標に対応する種類のデータを予めデータを記憶したメモリから読み出して表示部に表示させる表示ステップと、
この表示ステップにて表示されたデータを前記文書に挿入して表示すべきデータとして設定する設定ステップと、
この設定ステップにて設定されたデータを、前記文書とともに送信する出力データとして記憶させる出力データ記憶ステップと、
前記文書作成により作成された文書と、前記出力データ記憶手段に記憶された出力データとをデータ送信する送信手段と、
前記作成ステップにて作成された文書と、前記出力データ記憶ステップにて記憶された出力データとをデータ送信する送信ステップと
を含むことを特徴とするデータ送信方法。
【請求項５】
データ送信装置が有するコンピュータを、
文書を作成する作成手段、
この作成手段による文書の作成中に、この作成中の文書に挿入すべきデータの種類に対応する指標を入力する入力手段、
この入力手段によって指標が入力されると、この指標に対応する種類のデータを予めデータを記憶したメモリから読み出して表示させる表示手段、
この表示手段に表示されたデータを前記文書に挿入して表示すべきデータとして設定する設定手段、
この設定手段によって設定されたデータを、前記文書とともに送信する出力データとして記憶させる出力データ記憶手段、
前記作成手段により作成された文書と、前記出力データ記憶手段に記憶された出力データとをデータ送信する送信手段
として機能させることを特徴とするデータ送信処理プログラム。
【手続補正３】
【補正対象書類名】明細書
【補正対象項目名】０００１
【補正方法】変更
【補正の内容】
【０００１】
【発明の属する技術分野】
本発明は、文書データを取り扱うデータ送信装置、データ送信方法、及び、データ送信処理プログラムに関する。
【手続補正４】
【補正対象書類名】明細書
【補正対象項目名】０００５
【補正方法】変更
【補正の内容】
【０００５】
本発明は、このような従来の課題に鑑みてなされたものであり、作成する文書とともに他のデータを送信する場合であっても、容易に文書を作成して送信することのできるデータ送信装置、データ送信方法、及び、データ送信処理プログラムを提供することを目的とするものである。
【手続補正５】
【補正対象書類名】明細書
【補正対象項目名】０００６
【補正方法】変更
【補正の内容】
【０００６】
【課題を解決するための手段】
前記課題を解決するために請求項１記載の発明に係るデータ送信装置にあっては、文書を作成する作成手段と、データを記憶するデータ記憶手段と、この作成手段による文書の作成中に、この作成中の文書に挿入すべきデータの種類に対応する指標を入力する入力手段と、この入力手段により指標が入力されると、この指標に対応する種類のデータを前記データ記憶手段より読み出して表示する表示手段と、この表示手段に表示されたデータを前記文書に挿入して表示すべきデータとして設定する設定手段と、この設定手段によって設定されたデータを、前記文書とともに送信する出力データとして記憶する出力データ記憶手段と、前記作成手段により作成された文書と、前記出力データ記憶手段に記憶された出力データとをデータ送信する送信手段とを備える。
【手続補正６】
【補正対象書類名】明細書
【補正対象項目名】０００７
【補正方法】変更
【補正の内容】
【０００７】
したがって、作成手段による作成時において、この作成中の文書にデータを挿入するときはこのデータの種類に対応する指標を入力することで挿入するデータ（出力データ）を設定することができる。よって、挿入するデータの存在により表示し得る文書を相対的に減少させることなく、長文の文書を表示させることができる。これにより、前後の内容や脈絡を認識したり推敲しつつ文書を作成することができ、文書を作成する際の作業が容易となる。なお、作成手段により作成された文書と、この文書に表示される指標に対応する出力データとが送信されるので、受信側においては出力データを含む文書の表示が可能となる。
【手続補正７】
【補正対象書類名】明細書
【補正対象項目名】０００８
【補正方法】変更
【補正の内容】
【０００８】
また、請求項２記載の発明に係るデータ送信装置にあっては、前記指標は、前記作成手段によって作成される文書を構成する各文字と同じ表示範囲内に表示される。したがって、文書作成者は、指標を文書の構成文字と同等に認識しつつ文書を作成することができ、文書の作成が一層容易となる。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
また、請求項３記載の発明に係るデータ送信装置にあっては、撮像手段を更に備え、前記出力データとは、この撮像手段によって撮像された画像である。したがって、作成手段による作成時において、この画像の種類を特定付ける指標が文書に混在して表示される。よって、画像の存在により表示し得る文書を相対的に減少させることなく、長文の文書を表示手段に表示させることができる。これにより、前後の内容や脈絡を認識したり推敲しつつ文書を作成することができ、文書を作成する際の作業が容易となる。また、作成手段によって作成された文書と、この文書に表示される指標に対応する画像とが送信されるので、受信側においては画像を含む文書の表示が可能となる。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】
また、請求項４記載の発明に係るデータ送信方法にあっては、文書を作成する作成ステップと、この作成ステップによる文書の作成中に、この作成中の文書に挿入すべきデータの種類に対応する指標を入力する入力ステップと、この入力ステップにより指標が入力されると、この指標に対応する種類のデータを予めデータを記憶したメモリから読み出して表示部に表示させる表示ステップと、この表示ステップにて表示されたデータを前記文書に挿入して表示すべきデータとして設定する設定ステップと、この設定ステップにて設定されたデータを、前記文書とともに送信する出力データとして記憶させる出力データ記憶ステップと、前記文書作成により作成された文書と、前記出力データ記憶手段に記憶された出力データとをデータ送信する送信手段と、前記作成ステップにて作成された文書と、前記出力データ記憶ステップにて記憶された出力データとをデータ送信する送信ステップとを含む。したがって、記載したステップに従って処理を実行することにより、請求項１記載の発明と同様の作用効果を奏する。
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】
また、請求項５記載の発明に係るデータ送信処理プログラムにあっては、データ送信装置が有するコンピュータを、文書を作成する作成手段、この作成手段による文書の作成中に、この作成中の文書に挿入すべきデータの種類に対応する指標を入力する入力手段、この入力手段によって指標が入力されると、この指標に対応する種類のデータを予めデータを記憶したメモリから読み出して表示させる表示手段、この表示手段に表示されたデータを前記文書に挿入して表示すべきデータとして設定する設定手段、この設定手段によって設定されたデータを、前記文書とともに送信する出力データとして記憶させる出力データ記憶手段、前記作成手段により作成された文書と、前記出力データ記憶手段に記憶された出力データとをデータ送信する送信手段として機能させる。したがって、前記コンピュータがこのプログラムに従って処理を実行することにより、請求項１記載の発明と同様の作用効果を奏する。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００５３
【補正方法】変更
【補正の内容】
【００５３】
【発明の効果】
以上説明したように請求項１、４、５記載の発明によれば、文書にとともに送信する出力データの存在により表示し得る文書を相対的に減少させることなく、長文の文書を文書作成時に表示させることができる。よって、前後の内容や脈絡を認識したり推敲しつつ文書を作成することができ、出力データとともに送信する文書を作成することができる。
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】